(57)【要約】【課題】吸着性のある活性炭又は炭化物、及び植物系敷料とを混合して混合敷料として使用する。【解決手段】牛、馬、豚、羊、山羊、鶏等の家畜の敷料であって、吸着性のある活性炭又は炭化物、及び植物系敷料とを混合して混合敷料として使用する。植物系敷料は、木材チップ、麦藁、稲わら、木材の大鋸屑（オガクズ）、樹皮、籾殻、フスマ等の農産物から廃棄物として排出されるもの、建築廃材等から出る廃木材、間伐材等を破砕処理したものであっても良い。活性炭又は炭化物は、これらの廃棄物から常法により作られる。【選択図】　　　図１
2004141037.tif 000002
【特許請求の範囲】
【請求項１】
家畜の敷料であって、
臭気物質、及び有害物質を吸着する能力を有する活性炭及び／又は炭化物と、
植物系敷料及び／又は再生紙とを混合して混合敷料として使用する
ことを特徴とする炭化物入り敷料。
【請求項２】
請求項１に記載の炭化物入り敷料において、
前記混合敷料は、食肉用養鶏場、養牛場、養羊場、養山羊場又は養豚場で使用されるものである
ことを特徴とする炭化物入り敷料。
【請求項３】
請求項１又は２において、
前記活性炭又は前記炭化物は、
使用済みの糞尿を含む前記植物系敷料、前記再生紙、及び前記混合敷料から選択される１種以上を加熱、及び水蒸気で賦活化により炭化処理されたものである
ことを特徴とする炭化物入り敷料。
【請求項４】
請求項１又は２において、
前記植物系敷料は、藁、籾殻、木材チップ、カンナ屑、オガ屑、もみ殻、家畜糞から選択される１種以上である
ことを特徴とする炭化物入り敷料。
【請求項５】
請求項１又は２において、
前記混合敷料中の前記活性炭及び／又は前記炭化物は、前記混合敷料の２％ないし５５％重量部である
ことを特徴とする炭化物入り敷料。
【発明の詳細な説明】
【０００１】
【発明の属する技術分野】
本発明は、食肉用養鶏場、養牛場、養豚場等に使用される家畜飼育場の炭化物入り敷料に関する。更に詳しくは、家畜飼育場で使用される敷料の使用料を大幅に減量して、しかも再利用できる炭化物入り敷料に関する。
【０００２】
【従来の技術】
活性炭は、吸着性が強く大部分が炭素質の炭として知られている。製法は、木材、褐炭、泥炭などを活性化剤としての薬品（塩化亜鉛、リン酸など）で処理して乾留するか、あるいは木炭などを水蒸気で活性化するものである。通常は粉状あるいは粒状であり、粉状のものは成形して粒状としたものも使用されている。
【０００３】
一方、家畜が横臥する場所を柔らかく暖かくし、排泄物の水分を吸収するために敷くものとして藁、鋸屑、籾殻等の植物系敷料が使用されている。例えば、食肉用養鶏場で使用されるこの敷料は、現在製材所などから排出される大鋸屑、木屑（チップ）を主材とするものが使用されている。食肉用の養鶏は、一定の広さに敷料を敷き、この敷料の上に一定の密度になるように一定羽数の幼鶏（雛）が成長して出荷するまで一定期間（例えば、５０日間）を過ごす。
【０００４】
成長した鶏の出荷が終わると、直ちに鶏糞やこぼれた飼料、抜け落ちた羽根等で汚れた敷料は廃棄物として排出され清掃の後、鋸屑等の新しい敷料が敷き詰められ、次の飼育に備える。一方排出された廃棄物は、養鶏場近辺の空地（多くは山間地）に野積みされている。野積みは、悪臭の原因、雨水による汚染が河川に流れる込むことになる。これを乾燥したところで着火して、野焼きにして灰分として容量を減少させる方法もとられている。
【０００５】
この方法は、灰の拡散、有害物質を含んだ燃焼ガスの拡散も問題となっている。特に、低温で燃焼させる野焼きでは、大鋸屑中のリグニンに起因するベンゼン環と鶏糞中の塩素により、ダイオキシン類が発生する可能性も否定できない。廃棄物処理業者に引き取られて処理されているが、同様の処理がされるだけでありこれらの問題を解決するものではない。
【０００６】
また、この廃棄敷料を発酵させて堆肥とする方法も知られている。しかしながら、食肉用敷料は、大鋸屑や木屑が５０％前後と大量に含まれている為に、発酵堆肥化により有機肥料化するには長期間を要し、自然の発酵では２〜３年の期間が必要と言われている。また、この発酵時間を短くするための発酵システムを導入すると、大がかりなプラントとなり、コストの点で及ばない。
【０００７】
本発明者等は、この敷料を再利用する方法を提案した（特開２００２−１７６８６９号）。この提案では鶏糞炭もオガクズもアンモニアの負荷テストでは、負荷回数の増加に従い、除去能力の低下が認められ、６回目の負荷では鶏糞炭で１０５ｐｐｍ、オガクズで６０ｐｐｍのアンモニアガスが残留した。この結果から、使用した鶏糞炭は臭気（アンモニアガス）吸着能を有しているものの、能力的にはオガクズに大差ないことが明らかとなった。
【０００８】
一方、製材所等では大量の鋸屑が発生するが、この鋸屑の一部は前述した敷料として使用されている以外は廃棄処理されている。また、建築廃材等から出る大量の木材の廃棄処理が社会問題となっている。この廃木材は、埋立、焼却処理等が行われているが、埋立場所の確保、粉塵公害等もあり容易ではない。これらの廃木材を炭化させるものも数多く提案されているが、大量のものを使用する用途はない。
【０００９】
【発明が解決しようとする課題】
本発明は上述のような技術背景のもとになされたものであり、下記目的を達成する。
本発明の目的は、活性炭等の炭化物を混入させた食肉用養鶏場等に使用される炭化物入り敷料を提供することにある。
本発明の他の目的は、オガ屑等の植物系敷料をリサイクルして製造した炭化物入り敷料を提供することにある。
本発明の更に他の目的は、廃棄物としての敷料の発生を抑制すると同時に敷料コストの低減をするための炭化物入り敷料を提供することにある。
本発明の更に他の目的は、家畜飼育場に使用される敷料を活性炭化させて臭気等の有害物質の吸着能を有し、飼育環境を向上させるための炭化物入り敷料を提供することにある。
【００１０】
【課題を解決するための手段】
本発明は、前記目的を達成するため、次の手段を採る。
本発明の炭化物入り敷料は、家畜の敷料であって、臭気物質、及び有害物質を吸着する能力を有する活性炭及び／又は炭化物と、植物系敷料及び／又は再生紙とを混合して混合敷料として使用することを特徴とする。
前記家畜とは、牛、馬、豚、羊、山羊、鶏等を意味する。前記植物系敷料は、植物系の素材であれば如何なるものであっても良いが、木材チップ、麦藁、稲わら、木材の大鋸屑（オガクズ）、樹皮、籾殻、フスマ等の農産物から廃棄物として排出されるものが、リサイクルの観点からは好ましい。更に、建築廃材等から出る廃木材、間伐材等を破砕処理したものであっても良い。再生紙とは、故紙、回収した故紙から作られた再生パルプを主原料とする紙、これらを素材として作られた敷料を意味する。
【００１１】
前記活性炭及び／又は前記炭化物は、使用済みの糞尿を含む前記植物系敷料、前記再生紙、及び前記混合敷料から選択される１種以上を加熱により炭化処理されたものである。前記活性炭は、木炭などを水蒸気で等で活性化して表面積を増加させたものを意味する。前記活性炭及び／又は前記炭化物の形状は、粉状あるいは粒状であり、粉状のものは成形して粒状としたものが良い。前記活性炭又は炭化物の製造は、酸素を遮蔽した密閉容器で加熱、及び水蒸気で活性化により炭化処理したものであっても良い。前記活性炭及び／又は炭化物は、前記混合敷料の２．０％ないし５５．０％重量部であり、余部が植物系敷料とすると良い。
【００１２】
【発明の実施例】
以下、本発明の実施例を実験例で説明する。賦活化鶏糞炭が敷料として使えることについては、特開２００２−１７６８６９号公報に記載された通りである。従って、本発明の炭化物入り敷料の臭気について、簡単な実験をしてその効果を確認した。
１．アンモニア吸着能測定
図１は、アンモニア吸着能測定方法に使用した容器の断面図である。図１に示したような容器内に飽和させたアンモニアガスを賦活化鶏糞炭あるいは市販活性炭と混合したオガクズ敷料に吸着させ、容器内濃度変化を検知管法にて測定した。すなわち、１（リットル）用プラスチック容器内に５０（ミリリットル）用ビーカーを置き、その上部に敷料１．０ｇを入れたシャーレを配置した。
【００１３】
０．５ｗ／ｖ％濃度のアンモニア溶液　５０（マイクロリットル）をビーカー内に滴下後、直ちに蓋をして、３７℃の恒温器内に入れた。２時間の静置後、小蓋を開け、検知管（ガステック製２Ｌａ）を挿入して容器内ガスをガステック吸引器にて吸引し、検知管の発色部の目盛を読むことによりアンモニア濃度を測定した。なお、この方法で敷料を入れずにアンモニア溶液のみを入れて測定した場合、容器内のアンモニア飽和濃度は１００ｐｐｍとなる。
【００１４】
（結果、及び考察）
以上のような実験条件で、図２に示すような結果となった。図２の横軸は前述した方法によるアンモニア負荷回数、縦軸はアンモニア濃度（ｐｐｍ）を示す。各線は、オガ屑に市販活性炭を５％（活性炭０．０５ｇ、オガ屑０．９５ｇ）、１０％（活性炭０．１ｇ、オガ屑０．９ｇ）混合したオガ屑敷料と、オガ屑のみ（１．０ｇ）の敷料についてそれぞれ測定された容器内アンモニア濃度の変化である。
【００１５】
オガ屑単体のものより活性炭とオガ屑を混合したものが最もアンモニアを吸着していることが伺える。また、活性炭の量が多いほどアンモニアの吸着量が増加していることが伺える。
【００１６】
【発明の効果】
以上詳記したように、本発明は、吸着性のある活性炭、及び植物系敷料とを混合して混合敷料として使用することにより臭気、アンモニアの吸着性が良い敷料ができたので、飼育環境を向上させることができ、農業、林業等の廃棄物の利用が可能になり、廃棄物としての敷料の発生を抑制することができ、また敷料コストの低減をすることができた。
【図面の簡単な説明】
【図１】図１は、アンモニア吸着能測定方法に使用した容器の断面図である。
【図２】図２は、活性炭及びオガ屑のアンモニア吸着能を示すグラフである。
【図１】
2004141037.tif 000003
【図２】
2004141037.tif 000004